(57)【特許請求の範囲】
【請求項１】
装置外へ取出し可能に装着され、回収する硬貨を集積する硬貨回収庫と、
前記硬貨回収庫内の硬貨の存否を検知する検知センサと、
前記硬貨回収庫を空の状態で装着した際に、前記検知センサが硬貨の存在を検知したときは、取引の続行を選択可能とする表示を行う表示手段と、を備えたことを特徴とする現金処理装置。
【請求項２】
請求項１に記載の現金処理装置において、
前記取引を続行させた後は、前記硬貨収納庫に集積された硬貨枚数によって前記硬貨収納庫の収納状態を管理することを特徴とする現金処理装置。
【請求項３】
装置外へ引出し可能に装着され、回収する硬貨を集積する硬貨回収庫と、
前記硬貨回収庫内の硬貨の満杯状態を検知する検知センサと、を備え、
前記検知センサが、装着された前記硬貨収納庫が空の状態でないことを、所定の回数連続して検知したときは、前記検知センサの機能を停止させ、前記硬貨収納庫に集積された硬貨枚数によって前記硬貨収納庫の収納状態を管理して、取引を続行させることを特徴とする現金処理装置。
【請求項４】
請求項３に記載の現金処理装置において、
前記取引を続行させた後に、前記検知センサの機能が回復したときは、前記検知センサによって、前記硬貨収納庫の満杯状態を検知することを特徴とする現金処理装置。
【発明の詳細な説明】
【技術分野】
【０００１】
本発明は、小売店やスーパマーケット等の商業施設等に設置され、レジスタで使用される現金の出金処理や、レジスタから入金する現金の入金処理等を行う現金処理装置に関する。
【背景技術】
【０００２】
従来の現金処理装置は、装置正面に設けられた扉を開いて装置内から引出し可能に装着された硬貨回収庫を備えており、売上金を回収する場合は、金種別に硬貨を収納した硬貨収納庫から繰出された硬貨を硬貨回収庫に収納し、容量フル（満杯）または締め（精算集計取引）等の既定のときに、装置正面に設けられた扉を開いて装置から硬貨収納庫を取出している（例えば、特許文献１参照。）。
また、硬貨処理装置の硬貨収容箱の側面および仕切板に貫通穴からなる透光部分を設けて、発光部からの光を第２の受光部で受光したことによって、空の状態の硬貨収容箱が完全に装着されたことを検出し、集積された硬貨が発光部からの光を遮ったことによって、硬貨収容箱に硬貨が残留していることを検出しているものもある（例えば、特許文献２参照。）。
【先行技術文献】
【特許文献】
【０００３】
【特許文献１】特開２０１２−１２５７９４号公報（段落００１９、００３０−００３３、第１図）
【特許文献２】特開２０１１−０１３８８２号公報（段落００３９−００４４、００５０、第８図、第１１図）
【発明の概要】
【発明が解決しようとする課題】
【０００４】
一般に、売上金の回収は、警備会社の輸送担当員が現金処理装置のメニュー画面から「売上回収」を選択し、表示された扉開誘導画面等に従って、正面側の扉を開いて、売上金を収納した紙幣回収庫および硬貨回収庫を取出し、輸送担当員が持参した空の紙幣回収庫および硬貨収納庫を新たに現金処理装置に装着し、扉を閉めた後に、取出した紙幣回収庫および硬貨回収庫を施錠したまま金融機関等に輸送し、金融機関等が解錠して売上金の入金を行っている。
【０００５】
また、上述した従来の技術において、特許文献１に記載された、精算集計取引によって売上金を硬貨収納庫に集積するときに、硬貨回収庫の満杯（フル状態ともいう。）を検出しようとする場合は、硬貨回収庫の上部に透光穴を設け、特許文献２のように発光部からの光を受光部が受光しないことによって、硬貨収納庫に集積された硬貨がフル状態になったことを検知するフル検知センサを設けることが行われている。
【０００６】
前記した売上回収取引に、透光穴を設けた硬貨回収庫を用いた場合には、輸送担当員が持参した空の紙幣回収庫および硬貨収納庫を現金処理装置に装着し、扉を閉めたときに、装着された硬貨カセットが空の状態であることを、紙幣の場合は繰出動作によって、硬貨の場合はフル検知センサの出力によって確認し、装着された紙幣回収庫および硬貨回収庫が空であることが確認されたときに、売上回収取引を完了させている。
【０００７】
しかしながら、輸送担当員が持参した空の硬貨回収庫の透光穴に、空の硬貨回収庫の輸送のために用いる保護箱のクッション材（発泡スチロール等）の破片やゴミ、埃等の異物が詰まって透光穴が塞がれた状態になっていると、発光部からの光が遮られるため、空の状態ではないと判定され、扉を閉めたときに、再び扉開誘導画面が表示され、売上回収取引を終えることができなくなってしまうという問題がある。
【０００８】
また、このような偽フル現象が発生した場合には、再表示された扉開誘導画面等に従って取出した硬貨収納庫の透光穴に詰まった異物を除去しようとしても、硬貨収納庫は施錠されており、異物を除去することが困難であるため、代替用の空の硬貨回収庫が手元にないと、代替の硬貨回収庫が到着するまで、現金処理装置の運用が停止してしまうという問題がある。
本発明は、上記の問題点を解決するためになされたもので、空の硬貨回収庫の透光穴に異物が詰まった場合であっても、輸送担当員等の係員による取引の続行を可能にする手段を提供することを目的とする。
【課題を解決するための手段】
【０００９】
本発明は、上記課題を解決するために、現金処理装置が、装置外へ取出し可能に装着され、回収する硬貨を集積する硬貨回収庫と、前記硬貨回収庫内の硬貨の存否を検知する検知センサと、前記硬貨回収庫を空の状態で装着した際に、前記検知センサが硬貨の存在を検知したときは、取引の続行を選択可能とする表示を行う表示手段と、を備えたことを特徴とする。
【発明の効果】
【００１０】
これにより、本発明は、硬貨回収庫の透光穴に異物が詰まって偽フル現象が発生したときであっても、係員が強制的に売上回収取引を完了させることができ、代替用の空の硬貨回収庫が手元にない場合であっても、現金処理装置の運用を継続することができるという効果が得られる。
【図面の簡単な説明】
【００１１】
【図１】実施例１の現金入出金装置を示す説明図
【図２】実施例１の現金入出金装置を示すブロック図
【図３】実施例１の現金入出金装置の外観を示す説明図
【図４】実施例１の現金入出金装置の外観を示す説明図
【図５】実施例１の初期画面の表示例を示す説明図
【図６】実施例１のメニュー画面の表示例を示す説明図
【図７】実施例１の入金取引不可画面の表示例を示す説明図
【図８】実施例１の硬貨扉開誘導画面の表示例を示す説明図
【図９】実施例１の硬貨回収庫交換誘導画面の表示例を示す説明図
【図１０】実施例１の硬貨扉閉誘導画面の表示例を示す説明図
【図１１】実施例１の紙幣扉開誘導画面の表示例を示す説明図
【図１２】実施例１の紙幣回収庫交換誘導画面の表示例を示す説明図
【図１３】実施例１の紙幣扉閉誘導画面の表示例を示す説明図
【図１４】実施例１の処理中画面の表示例を示す説明図
【図１５】実施例１の紙幣残留警告画面の表示例を示す説明図
【図１６】実施例１の第１の硬貨残留警告画面の表示例を示す説明図
【図１７】実施例２の第２の硬貨残留警告画面の表示例を示す説明図
【発明を実施するための形態】
【００１２】
以下に、図面を参照して本発明による現金処理装置の実施例について説明する。
【実施例１】
【００１３】
以下に、図１ないし図１６を用いて本実施例の現金入出金装置について説明する。
本実施例の現金処理装置としての現金入出金装置１は、小売店やスーパマーケット等の商業施設の店舗に設置され、レジスタの担当者や管理者等の担当者が操作して店舗の売場に設置されている複数のレジスタへ予め収納する釣銭（釣銭準備金という。）の出金処理やレジスタから回収された売上金の入金処理等を実行する機能を有しており、図１、図２に示すように、主制御部３、記憶部４、操作表示部６、カードリーダ７、印刷部８、紙幣処理部１０、硬貨処理部２０等を備えている。
【００１４】
主制御部３は、現金入出金装置１の紙幣処理部１０や硬貨処理部２０等の各部を制御して、釣銭出金や、売上入金、計数、補充、抜取り、精算集計、売上回収、精査等の各種の取引を実行する機能を有している。
記憶部４は、主制御部３が実行するプログラムや主制御部３による処理結果等が格納される。
また、記憶部４には、担当者の担当者ＩＤ（後述）に対応させて、当該担当者が登録したパスワードおよび当該担当者に許可された取引種別等の業務内容等を格納した担当者登録情報が予め格納されている。
【００１５】
操作表示部６は、ＬＣＤ等の表示画面と、表示画面に設けたタッチパネルや、担当者が出金金額等を入力するためのテンキーや表示画面に表示された内容を確認したことを指示するための「確認」キー等の操作キー等の入力手段を備えており、表示画面に、メニュー画面や各種の誘導画面、装置の状態等を表示する機能、タッチパネルにより担当者が選択した前記各取引の選択入力や操作キーによる入力を受付ける機能等を有している。
カードリーダ７は、担当者や警備会社の輸送担当員等が携帯するレジカードやＩＤカード等の担当者カードをパスさせたときに、そのＩＣチップや磁気ストライプに記録されている担当者ＩＤ等のカード情報を読取る機能を有している。
【００１６】
印刷部８は、プリンタ等を備えており、現金入出金装置１による入金処理や出金処理の金額等の取引結果をレシートに印刷して排出する機能を有している。
紙幣処理部１０は、制御部１１、紙幣入出金部１２、紙幣鑑別部１３、紙幣一時保留部１４、紙幣収納庫１５、紙幣回収庫１６、紙幣リジェクト庫１７等で構成され、図３、図４に示すように、その正面側には、正面扉１０ａおよび正面扉１０ａを開閉するためのレバー１０ｂが設けられている。
【００１７】
また、紙幣処理部１０には、正面扉１０ａの開閉を検知する図示しない開閉検知センサが設けられている
制御部１１は、主制御部３からの指令により、紙幣処理部１０内の各部を制御して上記主制御部３が実行する各取引における紙幣に関する処理動作を制御する。
紙幣入出金部１２は、紙幣処理部１０の正面側に設けられ（図３、図４参照）、担当者が一括投入した入金紙幣の受入口であると共に、売上入金における取消時の返却紙幣、入金時の入金リジェクト紙幣、釣銭出金時の出金紙幣を集積して排出する排出口として機能する。
【００１８】
紙幣鑑別部１３は、搬送された紙幣の真偽、正損、金種等を鑑別して金種別に計数する機能等を有している。
紙幣一時保留部１４は、入金処理における入金計数処理時および売上金収納時に、紙幣入出金部１２に投入され、紙幣鑑別部１３で正券と鑑別された紙幣を集積して一時保留する。
【００１９】
紙幣収納庫１５は、現金入出金装置１に着脱可能に装着された金庫であって、売上金等として入金された金種の紙幣（本実施例では千券、５千券、万券）を金種別に収納する複数の紙幣収納庫１５、つまり、千円紙幣を収納する千券収納庫１５ａ、５千円紙幣を収納する５千券収納庫１５ｂ、１万円紙幣を収納する万券収納庫１５ｃを備えており、入金処理における収納処理時等に、紙幣鑑別部１３で正券と鑑別され紙幣一時保留部１４から搬送された紙幣を収納する。
【００２０】
なお、釣銭出金時の出金紙幣は、その金種の紙幣（本実施例では千券、５千券）を収納している千券収納庫１５ａ、５千券収納庫１５ｂから出金される。
紙幣回収庫１６は、現金入出金装置１に着脱可能に装着された金庫であって、売上入金時および精算集計時に各紙幣収納庫１５ａ〜１５ｃ、つまり千券収納庫１５ａ、５千券収納庫１５ｂ、万券収納庫１５ｃに収納された売上金を構成する紙幣が搬送されて収納される。
【００２１】
紙幣リジェクト庫１７は、売上入金時に紙幣一時保留部１４から紙幣鑑別部１３へ搬送されたとき、釣銭出金時に紙幣収納庫１５から紙幣鑑別部１３へ搬送されたとき、売上金収納時に紙幣収納庫１５から紙幣鑑別部１３へ搬送されたときに、紙幣鑑別部１３で重送等と鑑別されたリジェクト紙幣等の集積先であって、担当者によるアクセスが可能なように構成されている。
紙幣処理部１０内の上記各部の間は図示しない紙幣搬送路で接続され、その紙幣搬送路の各分岐部には紙幣の搬送方向を切替える切替機構が設けられている。
【００２２】
硬貨処理部２０は、制御部２１、硬貨入出金部２２、硬貨鑑別部２３、硬貨選別部２３ａ、硬貨一時保留部２４、硬貨収納庫２５、硬貨リジェクト口２６、硬貨出金箱２７、硬貨返却箱２８、硬貨回収庫２９等で構成され、その正面側には、正面扉２０ａおよび正面扉２０ａを開閉するためのレバー２０ｂが設けられている。
また、硬貨処理部２０には、正面扉２０ａの開閉を検知する図示しない開閉検知センサが設けられている。
制御部２１は主制御部３からの指令により、硬貨処理部２０の各部を制御して上記主制御部３が実行する各取引における硬貨に関する処理動作を制御する。
【００２３】
硬貨入金部２２は、硬貨処理部２０の正面側に設けられ（図３、図４参照）、担当者が一括投入した入金硬貨の受入口であって、担当者が硬貨を投入する硬貨投入口２２ａと、硬貨投入口２２ａから投入された硬貨を１枚ずつ繰出す繰出口が設けられた硬貨繰出部２２ｂとで構成される。
硬貨鑑別部２３は、硬貨繰出部２２ｂから繰出された硬貨の真偽、正損、金種等を鑑別して金種別に計数する機能等を有している。
【００２４】
硬貨選別部２３ａは、硬貨鑑別部２３での鑑別結果に基づいて硬貨を搬送しながら選別する搬送路であって、硬貨搬送方向の上流側から図示しないリジェクト口、金種別の選別口が順に配置されており、リジェクト口および各選別口には、それぞれの開口を開閉する選別ゲートが設けられている。
硬貨一時保留部２４は、入金処理における入金計数処理時に、硬貨鑑別部２３で正常貨と鑑別され、硬貨選別部２３ａから図示しない金種別の搬送シュートを介して落下させた硬貨を金種別に集積して一時保留する。
【００２５】
硬貨収納庫２５は、現金入出金装置１に着脱可能に装着された金庫であって、入金処理における収納処理時に、硬貨鑑別部２３で正常貨と鑑別され、硬貨選別部２３ａを経由して硬貨一時保留部２４に金種別に一時保留した硬貨で、釣銭準備金等として出金する金種（本実施例では５００円、１００円、５０円、１０円、５円、１円）の硬貨を金種別に収納する金種別収納部を備えており、各金種別収納部には、硬貨一時保留部２４から落下させた硬貨を導く図示しない金種毎の搬送シュートが接続している。
【００２６】
また、各金種別収納部には、硬貨を１枚毎に繰出す繰出機構が設けられており、釣銭出金時の出金硬貨は、各金種別収納部から繰出されて出金される。
硬貨リジェクト口２６は、硬貨鑑別部２３で偽貨や外国硬貨、著しい汚損貨等と鑑別され、硬貨選別部２３ａのリジェクト口から図示しない搬送シュートを介して落下させた入金リジェクト硬貨が集積され、集積された入金リジェクト硬貨は担当者に返却される。
【００２７】
硬貨出金箱２７は、現金入出金装置１に着脱可能に装着された収納箱であって、釣銭出金時に、硬貨収納庫２５の各金種別収納部から繰出され、図示しない搬送シュートを介して落下させた釣銭硬貨が集積される。
硬貨返却箱２８は、現金入出金装置１に着脱可能に装着された収納箱であって、計数処理時の計数済硬貨、売上入金における取消時の返却硬貨を、硬貨一時保留部２４から図示しない搬送シュートを介して落下させた硬貨が集積する。
【００２８】
硬貨回収庫２９は、現金入出金装置１に着脱可能に装着された金庫であって、売上入金時および精算集計時に硬貨収納庫２５の各金種別収納部から繰出され、図示しない搬送シュートを介して落下させた売上金を構成する硬貨が一括で収納され、フル状態を検知するためのフル検知センサ２９ａが設けられている。
【００２９】
検知センサとしてのフル検知センサ２９ａは、発光部と受光部とを硬貨回収庫２９を挟んで対向させた光学式のセンサであって、硬貨回収庫２９の対向する２つの側面の上部にそれぞれ設けられた貫通穴である透光穴に光軸を挿通させて硬貨回収庫２９の装着部に設置されており、硬貨回収庫２９に集積された硬貨の頂部が、発光部からの光を遮断したことを受光部が検知して硬貨回数庫２９のフル状態を検知する機能を有している。
硬貨処理部２０内の上記各部の間は、上記した各搬送シュートで接続され、硬貨一時保留部２４の搬出口および硬貨収納庫２５の各金種別収納庫の繰出口には、硬貨の搬送方向を切替える図示しない切替ゲートが設けられている。
【００３０】
以下に、本実施例の現金入出金装置１による上記主制御部３が実行する各取引の処理動作について説明する。
現金入出金装置１の主制御部３は、操作表示部６の表示画面に担当者カードをカードリーダ７にパスさせることを促す文言や現在の装置の状態等を表示した、図５に示す初期画面を表示して待機している。
【００３１】
取引を行う担当者等が、事前に登録済の担当者カードをカードリーダ７にパスさせると、主制御部３は、カードリーダ７によって担当者カードに記録されている担当者ＩＤ等のカード情報を読取ると共に、操作表示部６の表示画面にパスワードの入力画面を表示し、担当者は操作表示部６によってパスワードを入力する。
【００３２】
このパスワードの入力を受付けた主制御部３は、カード情報の担当者ＩＤを基に、記憶部４の担当者登録情報から該当する担当者ＩＤのパスワード等を抽出し、抽出した担当者登録情報のパスワードと入力されたパスワードとの一致により担当者の正当性を判定し、操作表示部６の表示画面に取引種別毎の選択ボタン等を表示した、図６に示すメニュー画面を表示する。
【００３３】
＜釣銭出金取引＞
取引権限を有する担当者が、メニュー画面から「釣銭出金」ボタンを選択すると、主制御部３は、事前に登録された金種とその枚数を出金するパターン出金、または金種とその枚数を指定する指定出金を選択するサブメニュー画面を操作表示部６の表示画面に表示し、担当者が、パターン出金および指定出金からなる出金形態のいずれかを選択すると、主制御部３は、選択された出金形態の金種とその枚数を付した、釣銭出金取引における出金処理の実行指令を紙幣処理部１０の制御部１１および硬貨処理部２０の制御部２１へ送信する。
【００３４】
出金処理の実行指令を受信した紙幣処理部１０の制御部１１は紙幣の出金処理を開始し、出金形態の金種と枚数を基に、各金種別の紙幣収納庫１５ａ〜１５ｃからそれぞれの枚数に応じた紙幣を繰出し、繰出した紙幣を紙幣搬送路によって紙幣鑑別部１３へ搬送し、紙幣鑑別部１３で、正券と鑑別された紙幣は、紙幣搬送路によって紙幣入出金部１２へ搬送して集積し、紙幣鑑別部１３でリジェクト紙幣と鑑別された紙幣は、紙幣搬送路によって紙幣リジェクト庫１７に搬送して集積し、釣銭準備金として出金すべき全ての紙幣を紙幣入出金部１２に集積したときに、主制御部３へ紙幣出金終了通知を送信する。
【００３５】
また、出金処理の実行指令を受信した硬貨処理部２０の制御部２１は硬貨の出金処理を開始し、出金形態の金種と枚数を基に、硬貨収納庫２５の各硬貨収納庫から繰出機構によってそれぞれの枚数に応じた硬貨を繰出し、繰出した硬貨を搬送シュートによって硬貨出金箱２７に金種別に落下させて集積し、釣銭準備金として出金すべき全ての硬貨を硬貨出金箱２７に集積したときに、主制御部３へ硬貨出金終了通知を送信する。
【００３６】
一方、出金処理の実行指令の送信後に、紙幣処理部１０の制御部１１からの紙幣出金終了通知および、硬貨処理部２０の制御部２１からの硬貨出金終了通知の受信を待って待機していた主制御部３は、両方の集積終了通知を受信したときに、操作表示部６の表示画面に、紙幣入出金部１２に集積した釣銭紙幣および硬貨出金箱２７に集積した釣銭硬貨の受取りを誘導する受取誘導画面を表示し、担当者による釣銭準備金の受取りを確認して、今回の釣銭出金取引における出金処理を終了させる。
【００３７】
このようにして、本実施例の釣銭出金取引が行われる。
なお、以下の説明においては、主制御部３と各制御部１１、１２との指令や通知等の送受、および紙幣搬送路による紙幣の搬送、搬送シュートによる硬貨の搬送は搬送先を記載して、それらの説明は省略する。
【００３８】
＜売上入金取引＞
取引権限を有する担当者が、メニュー画面から「売上入金」ボタンを選択すると、紙幣および硬貨の入金誘導画面が表示され、担当者が、レジスタから持参した紙幣と硬貨（売上金と釣銭）を紙幣入出金部１２および硬貨入金部２２に投入すると、紙幣処理部１０および硬貨処理部２０は入金計数処理を開始し、紙幣入出金部１２および硬貨入金部２２からそれぞれ紙幣および硬貨を１枚毎に繰出して紙幣鑑別部１３および硬貨鑑別部２３へ搬送し、紙幣鑑別部１３で正券と鑑別された紙幣は紙幣一時保留部１４に一時保留し、硬貨鑑別部２３で正常貨と鑑別された硬貨は硬貨一時保留部２４に一時保留する。
【００３９】
また、紙幣鑑別部１３で入金リジェクト紙幣と鑑別された紙幣は紙幣入出金部１２に集積され、硬貨鑑別部２３で硬貨は入金リジェクト硬貨と鑑別された硬貨は硬貨リジェクト口２６に集積されて担当者に返却される。
そして、一時保留した紙幣および硬貨の金額を表示して担当者が確認すると、紙幣一時保留部１４の紙幣は紙幣収納庫１５へ収納され、硬貨一時保留部２４の硬貨は硬貨収納庫２５に収納される。
【００４０】
また、紙幣収納庫１５または硬貨収納庫２５がフル状態であり、収納時点で売上額（入金合計額から出金合計額を減じた額）が算出可能な場合は、売上額の範囲内で、紙幣回収庫１６または硬貨回収庫２９に収納する。
なお、売上入金取引において、硬貨回収庫２９の満杯による硬貨溢れを防止するために、取引選択時に硬貨回収庫２９のフル検知センサ２９ａの出力および硬貨回収庫２９への硬貨の収納枚数によって、硬貨回収庫２９がフル状態であることを判定した場合は、図７に示す、硬貨回収庫２９の満杯による入金停止の旨の入金取引不可画面を表示して入金取引の実行を制限している。
【００４１】
＜計数取引＞
取引権限を有する担当者が、メニュー画面から「計数」ボタンを選択して、計数する紙幣および硬貨を紙幣入出金部１２および硬貨入金部２２へ投入すると、紙幣処理部１０および硬貨処理部２０は計数処理を開始し、紙幣鑑別部１３で正券と鑑別された紙幣は紙幣一時保留部１４に一時保留され、硬貨鑑別部２３で正常貨と鑑別された硬貨は硬貨一時保留部２４に一時保留される。紙幣鑑別部１３で入金リジェクト紙幣と鑑別された紙幣は紙幣入出金部１２に集積され、硬貨鑑別部２３で硬貨は入金リジェクト硬貨と鑑別された硬貨は硬貨リジェクト口２６に集積され担当者に返却される。
そして、一時保留した紙幣および硬貨の金額を表示して担当者が確認すると、紙幣一時保留部１４の紙幣は紙幣入出金部１２へ搬送されて集積され、硬貨一時保留部２４の硬貨は硬貨返却箱２８に集積されて担当者に返却される。
【００４２】
＜補充取引＞
取引権限を有する担当者が、メニュー画面から「計数」ボタンを選択して、補充のための紙幣および硬貨を紙幣入出金部１２および硬貨入金部２２へ投入すると、売上入金取引の場合と同様にして、投入された紙幣および硬貨が、紙幣収納庫１５および硬貨収納庫２５に収納され、釣銭用の現金が補充される。
【００４３】
＜抜取り取引＞
取引権限を有する担当者が、現金精査のためにメニュー画面から「抜取り」ボタンを選択すると、装置内の全ての紙幣および硬貨、または入金過多で溢れそうになった紙幣収納庫１５の紙幣や硬貨収納庫２５の硬貨の一部または全部を、上記釣銭出金の指定出金の場合と同様にして、紙幣入出金部１２および硬貨出金箱２７に必要に応じて複数回に分けて集積し、前記担当者に引渡して装置内の現金を抜取らせる。
【００４４】
＜精算集計取引＞
取引権限を有する担当者が、メニュー画面から「精算集計」ボタンを選択すると、現在までの出金額および入金額を集計し、入金合計額から出金合計額を減じて売上額を算出し、売上額と既に紙幣回収庫１６および硬貨回収庫２９に収納した金額の差分を売上移動金額とし、紙幣および硬貨を、高額現金を優先して紙幣収納庫１５および硬貨収納庫２５から紙幣回収庫１６および硬貨回収庫２９へ搬送して、売上金額に相当する現金を収納する。
【００４５】
＜売上回収取引＞
取引権限を有する輸送担当員が、メニュー画面から「売上回収」ボタンを選択すると、装置の正面扉１０ａおよび正面扉２０ａを開錠し、紙幣回収庫１６および硬貨回収庫２９の扉開誘導画面等が表示され、紙幣回収庫１６および硬貨回収庫２９の脱着により売上金が回収され、空の紙幣回収庫１６および硬貨回収庫２９が装着され、正面扉１０ａおよび正面扉２０ａが閉じられると、取引が終了する。
輸送担当員は、取出した紙幣回収庫１６および硬貨回収庫２９を施錠したまま金融機関等に輸送し、金融機関等が解錠して売上金が入金される。
【００４６】
＜精査取引＞
取引権限を有する担当者が、メニュー画面から「精査」ボタンを選択すると、紙幣処理部１０および硬貨処理部２０の正面扉１０ａおよび正面扉２０ａを開錠し、紙幣収納庫１５および硬貨収納庫２５からの現金の抜取りを誘導する。
担当者が現金を抜取って、正面扉１０ａおよび正面扉２０ａを閉めると入金誘導画面が表示され、抜取った紙幣および硬貨を紙幣入出金部１２および硬貨入金部２２に投入すると、売上入金取引の場合と同様にして、抜取られた紙幣および硬貨が、紙幣収納庫１５および硬貨収納庫２５に収納される。すなわち、現金入出金装置１内の現金を精査する機能である。
【００４７】
以下に、本実施例の現金入出金装置１による売上回収取引における処理動作について、精算集計取引によって、紙幣回収庫１６および硬貨回収庫２９に売上金を収納した後に、警備会社等の輸送担当員が、金融機関等への売上金を輸送するために店舗を訪れた場合を例に説明する。
輸送担当員が、図６に示すメニュー画面から「売上回収」ボタンを選択すると、主制御部３は、硬貨処理部２０の正面扉２０ａの施錠を解除し、操作表示部６の表示画面に、図８に示す、硬貨処理部２０の正面扉２０ａをレバー２０ｂによって解放することを誘導する旨の硬貨扉開誘導画面を表示する。
【００４８】
輸送担当員が、硬貨処理部２０の正面扉２０ａを開けると、主制御部３は、図示しない開閉検知センサによって正面扉２０ａの開作動を認識し、図９に示す、硬貨回収庫２９の交換を誘導する旨の硬貨回収庫交換誘導画面を表示する。
輸送担当員が、売上硬貨が収納された硬貨回収庫２９を取出した後に、持参した空の硬貨回収庫２９を硬貨処理部２０に装着すると、主制御部３は、図１０に示す、硬貨処理部２０の正面扉２０ａを閉めて「確認」キーの押下を誘導する旨の硬貨扉閉誘導画面を表示する。
【００４９】
輸送担当員が、硬貨処理部２０の正面扉２０ａを閉め、操作表示部６の「確認」キーを押下すると、主制御部３は、図示しない開閉検知センサによって正面扉２０ａの閉作動を認識し、紙幣処理部１０の正面扉１０ａの施錠を解除し、図１１に示す、紙幣処理部１０の正面扉１０ａをレバー１０ｂによって解放することを誘導する旨の紙幣扉開誘導画面を表示する。
【００５０】
輸送担当員が、紙幣処理部１０の正面扉１０ａを開けると、主制御部３は、図示しない開閉検知センサによって正面扉１０ａの開作動を認識し、図１２に示す、紙幣回収庫１６（図１２の網掛け部）の交換を誘導する旨の紙幣回収庫交換誘導画面を表示する。
輸送担当員が、売上紙幣が収納された紙幣回収庫１６を取出した後に、持参した空の紙幣回収庫１６を紙幣処理部１０に装着すると、主制御部３は、図１３に示す、紙幣処理部１０の正面扉１０ａを閉めて「確認」キーの押下を誘導する旨の紙幣扉閉誘導画面を表示する。
【００５１】
輸送担当員が、紙幣処理部１０の正面扉１０ａを閉めて「確認」キーを押下すると、主制御部３は、図示しない開閉検知センサによって正面扉１０ａの閉作動を認識し、図１４に示す処理中画面を表示し、紙幣回収庫１６は繰出動作によって、硬貨回収庫２９はフル検知センサ２９ａの出力によって各回収庫の状態を確認し、その状態確認結果が、紙幣回収庫１６および硬貨回収庫２９が空の状態であった場合は、正面扉１０ａ、２０ａを施錠して今回の売上回収取引を終了させ、操作表示部６の表示画面に初期画面（図５参照）を表示して待機する。
【００５２】
紙幣回収庫１６の状態確認結果が、紙幣回収庫１６が空の状態でなかった場合は、紙幣回収庫１６に紙幣が残留している旨、および「確認」キーの押下を促す旨の文言を表示した図１５に示す紙幣残留警告画面を表示し、輸送担当員が「確認」キーを押下すると、主制御部３は、再度、紙幣扉開誘導画面（図１１参照）等を表示して紙幣回収庫１６の交換を誘導し、紙幣回収庫１６が空の状態であることを確認したときに、正面扉１０ａ、２０ａを施錠して今回の売上回収取引を終了させ、操作表示部６の表示画面に初期画面を表示して待機する。
【００５３】
硬貨回収庫２９の状態確認結果が、硬貨回収庫２９が空の状態でなかった場合、つまりフル検出センサ２９ａが硬貨の残留を検知した場合は、硬貨回収庫２９に硬貨が残留している旨、および「確認」キーの押下を促す旨の文言と、売上金回収取引を強制的に続行させるための「続行」ボタンとを表示した、図１６に示す第１の硬貨残留警告画面を表示し、輸送担当員が「続行」ボタンを押下すると、正面扉１０ａ、２０ａを施錠して今回の売上回収取引を終了させ、操作表示部６の表示画面に初期画面を表示して待機する。
【００５４】
この場合に、主制御部３は、その後の売上入金取引等における硬貨回収庫２９の収納状態の管理は、フル検知センサ２９ａによるフル状態の検知を省略して、硬貨回収庫２９への硬貨の収納枚数によって管理する。
このようにするのは、上記売上入金取引で説明したように、新たな売上入金取引の選択時に、硬貨回収庫２９に硬貨が収納されている可能性があるため、硬貨回収庫２９の収納状態を管理しておくことが必要になるからである。
【００５５】
なお、輸送担当員が「確認」キーを押下した場合は、主制御部３は、再度、硬貨扉開誘導画面（図８参照）や第１の硬貨残留警告画面（図１６参照）等を表示して硬貨回収庫２９の交換を誘導し、硬貨回収庫２９が空の状態であることを確認したときに、正面扉１０ａ、２０ａを施錠して今回の売上回収取引を終了させ、操作表示部６の表示画面に初期画面を表示して待機する。
【００５６】
以上、説明したように、本実施例では、売上回収取引における硬貨回収庫２９の交換後に、空の硬貨回収庫２９を装着したにも関わらず、フル検知センサ２９ａによりフル状態が検知され、硬貨回収庫２９への硬貨の残留を警告する第１の硬貨残留警告画面が表示された場合に、その第１の硬貨残留警告画面に取引の続行を可能にする「続行」ボタンを表示するので、硬貨回収庫２９の透光穴に異物が詰まって偽フル現象が発生したときであっても、輸送担当員等の係員が強制的に売上回収取引を完了させることができ、代替用の空の硬貨回収庫２９が手元にない場合であっても、現金処理装置の運用を継続することができる。
【実施例２】
【００５７】
以下に、図１７を用いて、本実施例の現金入出金装置１による売上回収取引における処理動作について、精算集計取引によって、紙幣回収庫１６および硬貨回収庫２９に売上金を収納した後に、警備会社等の輸送担当員が、金融機関等へ売上金を輸送するために店舗を訪れた場合を例に説明する。
なお、上記実施例１と同様の部分は、同一の符号を付してその説明を省略する。また、本実施例の現金入出金装置１の主制御部３が実行する各取引の処理動作の説明は、上記実施例１と同様であるので、その説明を省略する。
【００５８】
本実施例の記憶部４には、上記実施例１と同様の、担当者登録情報が予め格納される他、空の状態の硬貨回収庫２９の着脱回数の上限値、つまりフル検出センサ２９ａが、硬貨回収庫２９の残留硬貨を連続して検知したときの検知回数の許容値である所定の回数（本実施例では、３回）が予め設定されて格納されている。
本実施例の現金入出金装置１による売上回収取引における処理動作の中で、輸送担当員が、紙幣回収庫１６および硬貨回収庫２９を、空の状態の紙幣回収庫１６および硬貨回収庫２９に交換して、紙幣処理部１０の正面扉１０ａを閉めて「確認」キーを押下するまでの処理動作は、上記実施例１と同様であるので、その説明を省略する。
【００５９】
輸送担当員が、紙幣処理部１０の正面扉１０ａを閉めて「確認」キーを押下すると、主制御部３は、処理中画面（図１４参照）を表示し、上記実施例１と同様にして、各回収庫の状態を確認し、その状態確認結果が、紙幣回収庫１６および硬貨回収庫２９が空の状態であった場合は、今回の売上回収取引を終了させ、操作表示部６に初期画面（図５参照）を表示して待機する。
紙幣回収庫１６の状態確認結果が、紙幣回収庫１６が空の状態でなかった場合は、上記実施例１と同様にして、紙幣回収庫１６が空の状態であることを確認したときに、今回の売上回収取引を終了させ、操作表示部６に初期画面を表示して待機する。
【００６０】
硬貨回収庫２９の状態確認結果が、硬貨回収庫２９が空の状態でなかった場合、つまりフル検出センサ２９ａが硬貨の残留を検知した場合は、硬貨回収庫２９に硬貨が残留している旨、および「確認」キーの押下を促す旨の文言を表示した、図１７に示す第２の硬貨残留警告画面を表示し、輸送担当員が「確認」キーを押下すると、主制御部３は、再度、硬貨扉開誘導画面（図８参照）や第２の硬貨残留警告画面（図１７参照）等を表示して硬貨回収庫２９の交換を誘導し、フル検出センサ２９ａのよる残留硬貨の検知が、所定の回数（本実施例では３回）未満のときに、硬貨回収庫２９の着脱時の衝撃等によって透光穴に詰まった異物が自然に除去され、硬貨回収庫２９が空の状態であることを検知したときは、正面扉１０ａ、２０ａを施錠して今回の売上回収取引を終了させ、操作表示部６の表示画面に初期画面を表示して待機する。
【００６１】
フル検出センサ２９ａのよる残留硬貨の検知が、所定の回数連続したときは、自動で売上金回収取引を強制的に続行させ、正面扉１０ａ、２０ａを施錠して今回の売上回収取引を終了させ、操作表示部６の表示画面に初期画面を表示して待機する。
この場合に、主制御部３は、その後の売上入金取引等における硬貨回収庫２９の収納状態の管理は、フル検知センサ２９ａによるフル状態の検知を省略して、硬貨回収庫２９への硬貨の収納枚数によって管理する。
【００６２】
なお、本実施例では、所定の回数は予め設定して記憶部４に格納しておくとして説明したが、管理者や輸送担当員が、操作表示部６により所定の回数を入力して設定できるようにしてもよい。
このように、本実施例では、上記実施例１と同様の効果に加えて、フル検出センサ２９ａのよる残留硬貨の検知が、所定の回数連続したときは、自動で売上金回収取引を強制的に続行させて取引を完了させるので、硬貨回収庫２９の透光穴に異物が詰まって偽フル現象が発生したときであっても、輸送担当員等の係員の負担を軽減することができる。
【００６３】
なお、上記実施例１および本実施例では、偽フル現象が発生したときに、フル検出センサ２９ａの機能、つまり硬貨回収庫２９のフル状態を検知する機能を停止させて、強制的に売上回収取引を完了させるとして説明したが、次回以降の硬貨収納庫２９を用いる取引（例えば、売上入金取引や精算集計取引）の開始時に、フル検出センサ２９ａの機能を確認し、硬貨収納庫２９への硬貨の集積時の衝撃等によって透光穴に詰まった異物が自然に除去され、フル状態を検出していないことが確認できた場合は、フル検出センサ２９ａの機能を、当該取引において回復させ、その後の該当する取引においても、同様にして、フル検出センサ２９ａの機能を回復させて取引を行うようにしてもよい。
【００６４】
このようにすれば、硬貨回収庫２９への硬貨の集積時に偏集積が発生して硬貨が溢れてしまうことを防止することができる。
なお、上記各実施例においては、現金入出金装置１は、オフラインで運用するとして説明したが、店舗会計システム等のように、ＬＡＮ（Ｌｏｃａｌ  Ａｒｅａ  Ｎｅｔｗｏｒｋ）等で接続された上位サーバとの間で各取引の結果等を電文で送受する、上位サーバと連携させたオンライン運用の場合に適用しても同様の効果を得ることができる。
【００６５】
また、上記各実施例においては、現金入出金装置１が表示するメニュー画面は図６に示したように、多くの取引種別を一度に表示するとして説明したが、担当者ＩＤ毎に登録されている許可された取引種別の取引権限を基に、頻度の高い取引種別の選択ボタンが最初の画面になるようにしてメニュー画面を切替えるようにしてもよく、特定の取引しか使用しない取引権限の場合は、その特定の取引種別の選択ボタンのみ拡大表示して視認性を向上させてもよい。このようにすれば、担当者等の操作性が向上し、現金入出金装置１の運用効率の向上を図ることができる。
【００６６】
更に、上記各実施例においては、紙幣処理部１０および硬貨処理部２０の正面扉１０ａ、２０ａに設けた開閉検知センサは、取引時における扉の開閉を検知するとして説明したが、現金入出金装置１の電源オフ中にも正面扉１０ａ、２０ａを検知するようにして、扉が開けられた場合は不正な操作があったと判定してポップアップ画面やブザーで警告するようにしてもよい。このようにすれば、現金入出金装置１のセキュリティ性の向上を図ることができる。
更に、上記各実施例においては、現金入出金装置１は、小売店やスーパマーケット等の商業施設の店舗に設置されるとして説明したが、商業施設は、百貨店やショッピングセンタ等であてもよく、流通産業の店舗に設置するようにしてもよい。
【符号の説明】
【００６７】
１    現金入出金装置
３    主制御部
４    記憶部
６    操作表示部
７    カードリーダ
８    印刷部
１０  紙幣処理部
１１、２１  制御部
１２  紙幣入出金部
１３  紙幣鑑別部
１４  紙幣一時保留部
１５、１５ａ〜１５ｃ  紙幣収納庫
１６  紙幣回収庫
１７  紙幣リジェクト庫
２０  硬貨処理部
２２  硬貨入金部
２２ａ  硬貨投入口
２２ｂ  硬貨繰出部
２３  硬貨鑑別部
２３ａ  硬貨選別部
２４  硬貨一時保留部
２５  硬貨収納庫
２６  硬貨リジェクト口
２７  硬貨出金箱
２８  硬貨返却箱
２９  硬貨回収庫
２９ａ  フル検知センサ
【図１】
0006435954.tif 000002
【図２】
0006435954.tif 000003
【図３】
0006435954.tif 000004
【図４】
0006435954.tif 000005
【図５】
0006435954.tif 000006
【図６】
0006435954.tif 000007
【図７】
0006435954.tif 000008
【図８】
0006435954.tif 000009
【図９】
0006435954.tif 000010
【図１０】
0006435954.tif 000011
【図１１】
0006435954.tif 000012
【図１２】
0006435954.tif 000013
【図１３】
0006435954.tif 000014
【図１４】
0006435954.tif 000015
【図１５】
0006435954.tif 000016
【図１６】
0006435954.tif 000017
【図１７】
0006435954.tif 000018